(57)【要約】      （修正有）【課題】ウェアラブルシリコーンゴムブラジャーのカップ封止構造を提供する。【解決手段】ブラジャー本体１、カバー２、ブラジャーのカップ３、充填口４及び充填材５を含み、ブラジャー本体が一体射出成形され、食品グレードの付加型シリコーンゴム材料を金型に注入して硬化成形した一体型シリコーンゴムブラジャーであるウェアラブルシリコーンゴムブラジャーのカップ封止構造であって、ブラジャーのカップは、ブラジャー本体と一体成形されるシリコーンゴムからなり、ブラジャーのカップとブラジャー本体の身体に接する内面に囲まれる空間は空洞であり、内面から空洞に通じる箇所に充填口が設けられ、充填口の縁には、ブラジャー本体の内面よりも低い段差面６が設けられ、カバーはシリコーンゴムで製造され、段差面と同じ形状で同じサイズであり、その一面が平面であり、他面に段差面及び充填口に合わせて封止するボス７が設けられ、充填材はブラジャーのカップにおける空洞内に充填される。【選択図】図４
0003230584.tif 000002
【実用新案登録請求の範囲】
【請求項１】
ブラジャー本体、カバー、ブラジャーのカップ、充填口及び充填材を含み、前記ブラジャー本体が一体射出成形されるシリコーンゴムブラジャー製品であり、使用される食品グレードの付加型シリコーンゴム材料を金型に注入して硬化成形した一体型シリコーンゴムブラジャーであるウェアラブルシリコーンゴムブラジャーのカップ封止構造であって；
前記ブラジャーのカップは、ブラジャー本体と一体成形されるシリコーンゴムからなり、その内部が空洞構造であり、ブラジャー本体の内面に接続される箇所に充填口が設けられ；
前記充填口の縁には、ブラジャー本体の内面よりも低い段差面が設けられ；
前記カバーはシリコーンゴムで製造され、段差面と同じ形状で同じサイズであり、その一面が平面であり、他面に段差面及び充填口に合わせて封止するボスが設けられ；
前記充填材はブラジャーのカップにおける空洞内に充填される
ことを特徴とするウェアラブルシリコーンゴムブラジャーのカップ封止構造。
【請求項２】
前記カバーと充填口の段差面との接触面にブラジャー本体と同じ材質のシリコーンゴム接着剤が設けられている
ことを特徴とする請求項１に記載のウェアラブルシリコーンゴムブラジャーのカップ封止構造。
【請求項３】
前記充填材がソフトシリコーンゴム又は液体シリコーンゴムである
ことを特徴とする請求項１に記載のウェアラブルシリコーンゴムブラジャーのカップ封止構造。
【考案の詳細な説明】
【技術分野】
【０００１】
本考案は、シリコーンゴム製品の分野に関し、具体的にはシリコーンゴムブラジャー、より具体的にはウェアラブルシリコーンゴムブラジャーのカップ封止構造に関する。
【背景技術】
【０００２】
社会の発展と人々の生活の質の向上に伴い、美しさの追求もますます高まり、ＣＯＳアイテム（アニメーションのロールプレイングアイテム）と異性装の役の演出アイテムとしてのシミュレーションされたウェアラブルシリコーンゴムブラジャーは、広範な皮膚火傷の患者と切除術後の患者にもますます受け入れられて使用されている。
【０００３】
現在市販されているウェアラブルシリコーンゴムブラジャー製品（女性）のカップはいずれも、開放式充填構造である（シリコーンゴム材料の特性によって一体射出成形製品であるため、開放式構造は加工生産時の離型を容易にする）。充填材は一般的に、ＰＵフォーム、スポンジ、綿等のような固体であり、このような構造の充填材を有するシリコーンゴムブラジャーのカップは乳房の形態を示すことができるが、カップの重量が軽いため、着用者は、左右の重量バランスが悪いから、体のバランスを失い、柔らかさに欠け、カップの形状も自然な垂れ感及び揺れ感がない。製品は体験感とシミュレーションにも欠けている。
【考案の概要】
【考案が解決しようとする課題】
【０００４】
本考案は、従来技術の不足を克服するために、ソフト材料又は液体材料で充填できる封止構造設計である、ウェアラブルシリコーンゴムブラジャーのカップ封止構造を提供することを目的とする。
【課題を解決するための手段】
【０００５】
上記目的を達成するために、本考案は、以下の技術手段を提供する。ウェアラブルシリコーンゴムブラジャーのカップ封止構造は、ブラジャー本体、カバー、ブラジャーのカップ、充填口及び充填材を含み、前記ブラジャー本体が一体射出成形されるシリコーンゴムブラジャー製品であり、使用される食品グレードの付加型シリコーンゴム材料を金型に注入して硬化成形した一体型シリコーンゴムブラジャーであるウェアラブルシリコーンゴムブラジャーのカップ封止構造であって；
前記ブラジャーのカップは、ブラジャー本体と一体成形されるシリコーンゴムからなり、その内部が空洞構造であり、ブラジャー本体の内面に接続される箇所に充填口が設けられ；
前記充填口の縁には、ブラジャー本体の内面よりも低い段差面が設けられ；
前記カバーはシリコーンゴムで製造され、段差面と同じ形状で同じサイズであり、その一面が平面であり、他面に段差面及び充填口に合わせて封止するボスが設けられ；
前記充填材はブラジャーのカップにおける空洞内に充填されることを特徴とする。
【０００６】
上述したウェアラブルシリコーンゴムブラジャーのカップ封止構造は、前記充填材が人間の乳房組織の重量、柔らかさ、垂れ感、揺れ感等を模倣するためのソフトシリコーンゴム又は液体シリコーンゴムであることを特徴とする。
【０００７】
上述したウェアラブルシリコーンゴムブラジャーのカップ封止構造は、前記カバーと充填口の段差面との接触面にブラジャー本体と同じ材質のシリコーンゴム接着剤が設けられていることを特徴とする。
【考案の効果】
【０００８】
本考案は、ソフト材料又は液体材料をシリコーンゴムブラジャーのカップ位置の空洞内に封止し、乳房の形状の変化を効果的に模倣することにより、製品の体験感及びシミュレーションを向上させることができ、また、本願の構造は、短いシリコーンゴム製人工乳房、シリコーンゴム製半身タイプ人工乳房及びシリコーンゴム製全身タイプ人工乳房にも適用される。
【図面の簡単な説明】
【０００９】
【図１】本考案の着用効果図である。
【図２】本考案の展開図である。
【図３】本考案のブラジャーのカップの概略構成図である。
【図４】本考案の断面図である。
【図５】本考案の展開斜視効果図である。
【考案を実施するための形態】
【００１０】
以下、図面の簡単な説明を参照して、本考案をさらに詳細に説明する。
【００１１】
ウェアラブルシリコーンゴムブラジャーのカップ封止構造は、ブラジャー本体、カバー、ブラジャーのカップ、充填口及び充填材を含み、前記ブラジャー本体が一体射出成形されるシリコーンゴムブラジャー製品であり、使用される食品グレードの付加型シリコーンゴム材料を金型に注入して硬化成形した一体型シリコーンゴムブラジャーであるウェアラブルシリコーンゴムブラジャーのカップ封止構造であって；
前記ブラジャーのカップは、ブラジャー本体と一体成形されるシリコーンゴムからなり、その内部が空洞構造であり、ブラジャー本体の内面に接続される箇所に充填口が設けられ；
前記充填口の縁には、ブラジャー本体の内面よりも低い段差面が設けられ；
前記カバーはシリコーンゴムで製造され、段差面と同じ形状で同じサイズであり、その一面が平面であり、他面に段差面及び充填口に合わせて封止するボスが設けられ；
前記充填材はブラジャーの胸部における空洞内に充填されることを特徴とする。
【００１２】
上述したウェアラブルシリコーンゴムブラジャーのカップ封止構造は、前記カバーと充填口の段差面との接触面にブラジャー本体と同じ材質のシリコーンゴム接着剤である接着剤が設けられていることを特徴とする。
【００１３】
上述したウェアラブルシリコーンゴムブラジャーのカップ封止構造は、前記充填材が人間の乳房組織の重量、柔らかさ、垂れ感、揺れ感等を模倣するためのソフトシリコーンゴム又は液体シリコーンゴムであることを特徴とする。
【産業上の利用可能性】
【００１４】
このようなシリコーンゴムブラジャーのカップの封止構造設計は、シリコーンゴムブラジャーのカップ構造内にソフト材料を充填して人間の乳房組織の重量、柔らかさ、垂れ感、揺れ感等を模倣することができ、封止構造設計によって、ソフト材料又は液体材料をシリコーンゴムブラジャーのカップ位置の空洞内に封止し、乳房の形状の変化を効果的に模倣することにより、製品の体験感及びシミュレーションを向上させることができ、また、製品自体の構造は、短いシリコーンゴム製人工乳房、シリコーンゴム製半身タイプ人工乳房及びシリコーンゴム製全身タイプ人工乳房に適用される。
【符号の説明】
【００１５】
１  ブラジャー本体
２  カバー
３  ブラジャーのカップ
４  充填口
５  充填材
６  段差面
７  ボス
【図１】
0003230584.tif 000003
【図２】
0003230584.tif 000004
【図３】
0003230584.tif 000005
【図４】
0003230584.tif 000006
【図５】
0003230584.tif 000007
【手続補正書】
【提出日】令和2年11月25日(2020.11.25)
【手続補正１】
【補正対象書類名】明細書
【補正対象項目名】０００５
【補正方法】変更
【補正の内容】
【０００５】
上記目的を達成するために、本考案は、以下の技術手段を提供する。ウェアラブルシリコーンゴムブラジャーのカップ封止構造は、ブラジャー本体、カバー、ブラジャーのカップ、充填口及び充填材を含み、前記ブラジャー本体が一体射出成形されるシリコーンゴムブラジャー製品であり、使用される食品グレードの付加型シリコーンゴム材料を金型に注入して硬化成形した一体型シリコーンゴムブラジャーであるウェアラブルシリコーンゴムブラジャーのカップ封止構造であって；
前記ブラジャーのカップは、ブラジャー本体と一体成形されるシリコーンゴムからなり、前記ブラジャーのカップとブラジャー本体の身体に接する内面に囲まれる空間は空洞であり、前記内面から前記空洞に通じる箇所に充填口が設けられ；
前記充填口の縁には、ブラジャー本体の内面よりも低い段差面が設けられ；
前記カバーはシリコーンゴムで製造され、段差面と同じ形状で同じサイズであり、その一面が平面であり、他面に段差面及び充填口に合わせて封止するボスが設けられ；
前記充填材はブラジャーのカップにおける空洞内に充填されることを特徴とする。
【手続補正２】
【補正対象書類名】明細書
【補正対象項目名】００１１
【補正方法】変更
【補正の内容】
【００１１】
ウェアラブルシリコーンゴムブラジャーのカップ封止構造は、ブラジャー本体、カバー、ブラジャーのカップ、充填口及び充填材を含み、前記ブラジャー本体が一体射出成形されるシリコーンゴムブラジャー製品であり、使用される食品グレードの付加型シリコーンゴム材料を金型に注入して硬化成形した一体型シリコーンゴムブラジャーであるウェアラブルシリコーンゴムブラジャーのカップ封止構造であって；
前記ブラジャーのカップは、ブラジャー本体と一体成形されるシリコーンゴムからなり、前記ブラジャーのカップとブラジャー本体の身体に接する内面に囲まれる空間は空洞であり、前記内面から前記空洞に通じる箇所に充填口が設けられ；
前記充填口の縁には、ブラジャー本体の内面よりも低い段差面が設けられ；
前記カバーはシリコーンゴムで製造され、段差面と同じ形状で同じサイズであり、その一面が平面であり、他面に段差面及び充填口に合わせて封止するボスが設けられ；
前記充填材はブラジャーの胸部における空洞内に充填されることを特徴とする。
【手続補正３】
【補正対象書類名】実用新案登録請求の範囲
【補正対象項目名】全文
【補正方法】変更
【補正の内容】
【実用新案登録請求の範囲】
【請求項１】
ブラジャー本体、カバー、ブラジャーのカップ、充填口及び充填材を含み、前記ブラジャー本体が一体射出成形されるシリコーンゴムブラジャー製品であり、使用される食品グレードの付加型シリコーンゴム材料を金型に注入して硬化成形した一体型シリコーンゴムブラジャーであるウェアラブルシリコーンゴムブラジャーのカップ封止構造であって；
前記ブラジャーのカップは、ブラジャー本体と一体成形されるシリコーンゴムからなり、前記ブラジャーのカップとブラジャー本体の身体に接する内面に囲まれる空間は空洞であり、前記内面から前記空洞に通じる箇所に充填口が設けられ；
前記充填口の縁には、ブラジャー本体の内面よりも低い段差面が設けられ；
前記カバーはシリコーンゴムで製造され、段差面と同じ形状で同じサイズであり、その一面が平面であり、他面に段差面及び充填口に合わせて封止するボスが設けられ；
前記充填材はブラジャーのカップにおける空洞内に充填される
ことを特徴とするウェアラブルシリコーンゴムブラジャーのカップ封止構造。
【請求項２】
前記カバーと充填口の段差面との接触面にブラジャー本体と同じ材質のシリコーンゴム接着剤が設けられている
ことを特徴とする請求項１に記載のウェアラブルシリコーンゴムブラジャーのカップ封止構造。
【請求項３】
前記充填材がソフトシリコーンゴム又は液体シリコーンゴムである
ことを特徴とする請求項１に記載のウェアラブルシリコーンゴムブラジャーのカップ封止構造。